【手続補正書】
【提出日】平成16年1月26日(2004.1.26)
【手続補正１】
【補正対象書類名】明細書
【補正対象項目名】００１９
【補正方法】変更
【補正の内容】
【００１９】
プリントコントローラ１１０では入力されたＰＤＬをラスタイメージに変換するラスタイメージ生成部１１１でコードデータをビットマップへ変換する。このとき、ラスタイメージ生成部では画像ビデオデータ（Ｒ，Ｇ，Ｂ）とText（テキスト），Graphic（グラフィック），Photo（フォト）を識別するためのTag（タグ）情報が生成される。
色変換処理部１１２では［ＲＧＢ］ビデオデータをデバイスインディペンデント［ＸＹＺ］，［Ｌ＊ａ＊ｂ＊］，［Ｌ＊ｕ＊ｖ＊］等のカラーバリューに変換した後プリンタ等の再現色（イエロ、マゼンタ、シアン、ブラック）である［ＹＭＣＫ］信号に変換する。
また、光源の種類などに応じて例えばＤ６５→Ｄ５０などの光源変換、モニタ部の色再現域をプリンタ部の色再現域へ変換処理するガミュートマッピング、Ｋ色（墨色）信号を生成する墨版生成処理が施される。
更に、色変換処理部１１２のパラメータは固定パラメータではなく複数のパラメータ設定を有しており、プリンタドライバの指示により変更される。


【手続補正２】
【補正対象書類名】明細書
【補正対象項目名】００２４
【補正方法】変更
【補正の内容】
【００２４】
次に、本実施の形態に係るカラー画像形成装置の作動について説明する。
今、ＯＨＰモード選択時を例に挙げて説明すると、以下の通りである。
例えばプリンタドライバ１００の指示手段によりＯＨＰモードが選択されると、P-Tagが制御装置１３０に入力される一方、ラスタイメージ生成部１１１では、ＰＤＬをビットマップ情報に変換すると共に、Ｔext,Graphic,Photoの３種の情報を示すO-Tagが生成され、このO-Tagが制御装置１３０に入力される。
すると、制御装置１３０では、図５に示す一連の処理を行い、O-TagとP-Tagとの組合せにより色変換処理部１１２のパラメータ設定を行う（図６参照）。
パラメータ設定は、図４に示すように、予めＲＯＭ１４０に設定されているパラメータを制御装置１３０がロードし、色変換処理部１１２の各Object毎に設定されるＲＧＢ−ＹＭＣＫ色変換処理部のＵＣＲ処理パラメータの格納されているＲＡＭ１５０の指定アドレス内に書き込むことで行われる。


【手続補正３】
【補正対象書類名】明細書
【補正対象項目名】００２６
【補正方法】変更
【補正の内容】
【００２６】
こうすることにより、Textなどの文字で構成された原稿の場合、図７（ａ）に示す墨版生成処理を採用すれば、ＯＨＰ画像の多重色などで問題となる、ブラー、ホローキャラクタの発生を防止できる。
また、Graphic画像においては、高明度部には彩度低下を及ぼすＫ色（墨色）を使用しない（図７（ｂ）（ｃ）参照）。特に、図７（ｃ）の墨版生成処理を採用すれば、Graphicに含まれるフォントとは異なる低明度のGraphic文字のボケの発生を抑制し、色再現に優れたＯＨＰ画質を提供できる。
更に、図７（ｄ）に示す墨版生成処理を採用すれば、Photo画像も、肌色、草の緑、空の色など人間の眼の視感度の高い記憶色において色濁りの発生を防止して最適な画質が得られる。
尚、本例では、Ａ１は１００％のＵＣＲ（Ａ０と同じ）の比率で、Ａ２は５０％ＵＣＲの比率で墨版生成処理が行われるようになっている。但し、色変換処理のＲＧＢからＹＭＣＫへの色変換（異なる色空間へのガマット圧縮）のパラメータがＡ０，Ａ１，Ａ２で異なる。


【手続補正４】
【補正対象書類名】明細書
【補正対象項目名】００３３
【補正方法】変更
【補正の内容】
【００３３】
本実施の形態において、２００は原稿２０１を読み取る画像読取装置（画像入力装置）であり、本例では画像出力装置２１０上に載置されている。
また、画像出力装置としては中間転写型の４サイクル画像出力装置が用いられている。
同図において、符号２２１は例えば所定方向に回転する感光体ドラム（潜像担持体）、２２２は感光体ドラム２２１を予め帯電する帯電ロール等の帯電装置、２２３は各色成分画像情報に基づいて感光体ドラム２２１上に各色成分に対応した静電潜像を書き込むレーザ走査装置（ＲＯＳ）などの画像書込装置、２２４はイエロ（Ｙ）、マゼンタ（Ｍ）、シアン（Ｃ）及びブラック（Ｋ）の各色に対応した現像器２４ａ〜２４ｄが回転ホルダ２４ｅに搭載された回転型（ロータリー型）現像装置であり、感光体ドラム２２１に形成された静電潜像を現像器２４ａ〜２４ｄのいずれかで現像して各色成分トナー像を形成するようになっている。また、符号２２５は感光体ドラム２２１上の残留トナーを廃トナーとして除去するドラムクリーナである。


【手続補正５】
【補正対象書類名】明細書
【補正対象項目名】００３４
【補正方法】変更
【補正の内容】
【００３４】
また、符号２４０は感光体ドラム２２１の表面に当接されるように配置された中間転写ベルトであり、複数（本実施の形態では例えば３つ）のロール２４１〜４３に張架されて所定方向へ回動するようになっている。
更に、中間転写ベルト２４０の感光体ドラム２２１に対向する部位（一次転写位置）において、中間転写ベルト２４０の裏面側には一次転写装置（本実施の形態では一次転写ロール）２２６が配設されており、この一次転写ロール２２６にトナーの帯電極性と逆極性の電圧を印加することで、感光体ドラム２２１上のトナー像が中間転写ベルト２４０に静電吸引されるようになっている。
尚、符号２４４は中間転写ベルト２４０を清掃するベルトクリーナである。


【手続補正６】
【補正対象書類名】明細書
【補正対象項目名】００３５
【補正方法】変更
【補正の内容】
【００３５】
更にまた、用紙などの記録材の搬送経路に面した中間転写ベルト２４０の二次転写位置には二次転写装置２５０が配設されており、本実施の形態では、中間転写ベルト２４０のトナー像担持面側に圧接配置される二次転写ロール２５１と、中間転写ベルト２４０の裏面側に配置されて二次転写ロール２５１の対向電極をなす対向ロール（バックアップロール）２４３とを備えている。
そして、本実施の形態では、二次転写ロール２５１が接地されており、また、バックアップロール２４３にはトナーの帯電極性と同極性のバイアスが安定的に印加されている。
尚、符号２６０は定着装置であり、２６１は二次転写部位を通過した記録材を定着装置２６０へ搬送する搬送ベルトである。


【手続補正７】
【補正対象書類名】明細書
【補正対象項目名】００３７
【補正方法】変更
【補正の内容】
【００３７】
ここで、スキャナインタフェース３００は、画像読取センサとしてのＣＣＤ３０１にて画像信号（ＲＧＢ）に変換し、これをＡ／Ｄ変換部３０２にてデジタル信号に変換する。
そして、入力側画像処理部３１０には、シェーディング補正部３１１、入力階調補正部３１２及び第１色変換処理部３１３が含まれ、シェーディング補正、入力階調補正した画像信号（ＲＧＢ）を例えば［Ｌ＊ａ＊ｂ＊］画像信号に変換するようになっている。
更に、出力側画像処理部３２０には、第２色変換処理部３２１、精細度処理部３２２、出力階調補正部３２３が含まれ、実施の形態１の色変換処理部１１２〜出力階調補正部１１４と略同様の処理が行われる。
更にまた、プリンタインタフェース３３０には、中間調処理部３３１、パルス幅変調部３３２及びＬＤドライバ３３３が含まれ、実施の形態１のプリンタインタフェース１２０と略同様な処理が行われる。


【手続補正８】
【補正対象書類名】明細書
【補正対象項目名】図７
【補正方法】変更
【補正の内容】
【図７】（ａ）はObject TagがTextである場合の墨量生成比率の変化を示すグラフ図、（ｂ）（ｃ）はObject TagがGraphicである場合の墨量生成比率の変化を示すグラフ図、（ｄ）はObject TagがPhotoである場合の墨量生成比率の変化を示すグラフ図である。
【手続補正９】
【補正対象書類名】明細書
【補正対象項目名】図１０
【補正方法】変更
【補正の内容】
【図１０】実施の形態２で用いられるカラー画像形成装置の画像処理系における処理内容を示すフローチャートである。


【手続補正１０】
【補正対象書類名】図面
【補正対象項目名】図１
【補正方法】変更
【補正の内容】
【図１】
2002125129.tif 000001
【手続補正１１】
【補正対象書類名】図面
【補正対象項目名】図２
【補正方法】変更
【補正の内容】
【図２】
2002125129.tif 000002